(57)【要約】【課題】傷ついた光ディスクの表面を平滑にして十分な補修機能を有する、簡便で軽薄短小で携帯と収納に便利な、光ディスクメンテナンス装置を提供する。【解決手段】チューブ状の伝動部材１、付勢部材２、連接部材３、載置部材４、修理部材５を備え、伝動部材はその一の開口端の内縁部に係止溝１１、外縁部にギヤ状の駆動部１２、中央部に取り付け部１３、他の開口端に付勢部材を貫通する受け取り部１４を有し、連接部材はカバー３１、その一面に取り付け部３２１、他面に係止部３３を有し、取り付け部は複数の切り欠き３２２、その間に、係止溝に見合う舌部３１１を末端部に有する係止部３２を有し、載置部材は係止部３３に見合う係止溝４１、他端部に修理部材を収容する収納部４２、内縁部に操作部４３を有する、修理機構１０と、これを装着したベース６からなる。【選択図】　　　　　図１
0003098915.tif 000002
【実用新案登録請求の範囲】
【請求項１】
光ディスクの掃除、研磨、又はメンテナンスに使用される、修理機構（１０）を有する光ディスクメンテナンス装置であって、前記修理機構（１０）は、伝動部材（１）と、前記伝動部材（１）に配置される連接部材（３）と、前記連接部材（３）に配置される載置部材（４）とを備え、
前記伝動部材（１）は、２つの開口端を有するチューブ状に形成され、一の開口端の内縁部に係止溝（１１）を有し、且つ前記開口端の外縁部にギヤ状の駆動部（１２）を、前記外縁部を囲むように形成し、且つ前記伝動部材（１）の中央部に中空状を呈する取り付け部（１３）を設け、さらに、他の開口端の中央部の、前記取り付け部（１３）に対応する位置に、外方へ突出する受け取り部（１４）を設けており、
前記連接部材（３）は、カバー（３１）を有し、前記カバー（３１）の一面の、前記伝動部材（１）の係止溝（１１）に対応する位置に取り付け部（３２１）を外方へ突出形成し、前記取り付け部（３２１）には切り欠き（３２２）を形成し、前記切り欠き（３２２）の間に複数の係止部（３２）を形成し、前記係止部（３２）の末端部に舌部（３１１）を形成し、さらに、前記カバー（３１）の他の面に係止部（３３）を形成しており、
前記伝動部材（１）と前記連接部材（３）との間に付勢部材（２）が配置されており、
前記載置部材（４）は、前記連接部材（３）の係止部（３３）に対応する位置に係止溝（４１）を形成し、且つ他端部に収納部（４２）を形成し、前記収納部（４２）の内縁部に操作部（４３）を設けており、
前記載置部材（４）の収納部（４２）内に修理部材（５）が収納されていることを特徴とし、
前記修理機構が自転しながら、光ディスク上に当接しつつ公転することによって、メンテナンスを実行し、光ディスクの傷ついた部分を研磨してその表面を平坦化して信号をピックアップできるように復元することを特徴とする、光ディスクメンテナンス装置。
【請求項２】
前記修理機構（１０）の修理部材（５）として、目の精粗の異なるグラインディング・ホイール又は修理ピースのいずれか一種を使用すると共に、それぞれ異なるランクのメンテナンス用剤を合せて使用することを特徴とする、請求項１に記載の光ディスクメンテナンス装置。
【請求項３】
前記修理機構（１０）がベース（６）に配置され、
前記ベース（６）は、電源スイッチ（６１１）、修理スイッチ（６１２）、及び掃除スイッチ（６１３）を具備するコントロール・パネル（６１）と、光ディスクを載置する載置ベース（６２）と、載置ベース（６２）の周りに配設される少なくとも一つの取り付け部（６３）とを有しており、
さらに、前記ベース（６）は、カバー（６４）を配置し、前記カバー（６４）の、前記ベース（６）の載置ベース（６２）に対応する部位に弾力性を有する当接部材（６４１）を設けており、
前記修理機構が前記取り付け部（６３）に装着されて駆動されることを特徴とする、請求項１または２のいずれかに記載の光ディスクメンテナンス装置。
【考案の詳細な説明】
【０００１】
【考案の属する技術分野】
本考案は、光ディスクメンテナンス装置に係り、特に、傷ついた光ディスクを研磨技術によって修理し、その上における光学情報を読み取り可能な状態に復元することを特徴とする光ディスクメンテナンス装置に関するものである。
【０００２】
【従来の技術】
マルチメディアとインターネットの流行につれて、光ディスクの使用量が大幅に増加しているが、光ディスクは使用中に誤って容易に削られたりして傷ついてしまい、一旦傷ついた光ディスクは、新しいのを改めて購入する以外の方法がなく、甚だしい場合は情報が失われてしまい、大変不便である。
【０００３】
さらに、コンピュータ産業に係るＣＤ−ＲＯＭ、ＶＣＤ、ＤＶＤと、ＰＳを含むゲーム機器が年々普及するにつれ、光ディスクの使用量がますます大量になっている。しかしながら、光ディスクに傷がつけられると、音声がスキップしたり、映像がストップしたり、モザイク現象が生じたり、ピックアップ・ヘッドが信号を読み取れなくなる場合があり、その光ディスクは廃棄するしかない。光ディスクの構成材料は燃焼不能で、且つ分解、リサイクル不能のプラスチック材料であるので、長期間放置すると、必ずわれわれの環境を酷く汚染する。そのため、環境保護の観点からも、傷ついた光ディスクを修理してその寿命を延長する方法を講じることは優れた対策となる。
【０００４】
さて、調査によると、現在のマーケットにおいて市販されている光ディスクのクリーニング装置はいろいろあるが、概ね、掃除（クリーニング）を主要な目的とするものばかりであり、一部の光ディスク修理用剤と称する製品は、概ね、傷つけられて形成されたスリット状の凹みをワックスによって補完するものであり、不注意に使用すると、短時間内にワックスが硬化して、かえって光ディスクを傷つける場合があり、そのメンテナンス効果は好ましくない。
【０００５】
すなわち、従来の修理方法では、単に光ディスクに付着した汚れは掃除できるが、光ディスクについた傷に対しては効果的な修理方法がなく、傷ついた光ディスクは概ね廃棄するしかないという問題がある。
【０００６】
一方、光ディスクの製造過程としては、光ディスク基板に染色材料を塗布した後、光ディスクの表面に金属膜をメッキ形成し、レーザ射線を反射可能にすることによって情報をピックアップ可能にしている。その際、金や銀や銅やアルミニウムなどのメッキ膜材料を真空蒸着やスパッタリングなどによって金属膜層として染色材料記録層の上に付着し、紫外線硬化樹脂を保護ゲルとして使用し被覆している。
【０００７】
そこで本考案にあたっては、上記の問題に鑑み、光ディスクのこのような製造過程の原理を参照して、最も効果的な光ディスクメンテナンス方式を研究し、光ディスクメンテナンス装置を提案しようとするものである。
それは、光ディスクを掃除、メンテナンス、修理できる装置であり、傷ついた光ディスクを光ディスク盤に載せ、研磨椀にグラインディング・ホイールを装着し、研磨用剤をグライディング・ホイールに滴り、グライディング・ホイールを光ディスクに当接し、それから電力を投入し、光ディスク盤を回転させ、その際、グライディング・ホイールを自転させて研磨を実行するものである。グライディング・ホイールと研磨用剤のセットは、目が荒いのと、中等のと、細かいのとのランクの物品があり、そのうち、最も目が細かいのは艶出し作用のものであり、このように、等級を分けて研磨することによって光ディスクの傷を平たくなるように研磨すると共に、艶出し加工し、使用上支障のない光ディスクに復元する。前記の光ディスク用クリーニング、メンテナンス、補修装置を利用し、傷ついた光ディスクを装置に載置し、グラインディング及び補修機能によって、傷ついた光ディスクを研磨且つ補修して使用上支障のない光ディスクを作り、このようにして実際のニーズに応じられるようになる。
【０００８】
このような光ディスクメンテナンス装置を使えば、傷ついた光ディスクの表面を効果的に補修できるが、従来の設計によるこの種の装置は一般に大型になり、且つ構造が複雑であったので、大部分が大量生産を実行する光ディスクメーカの利用に供し、または販売業者やタレント・ショップなどの利用に供する反面、一般の消費者の利用や家庭用や携帯用には普及しておらず、且つ現在の電気製品の軽薄短小の要求に応じておらず、携帯と収納に便利なものではなかった。
【０００９】
【先行技術文献】
【特許文献１】特開２００１−２６９８５２
【００１０】
【考案が解決しようとする課題】
そのため、本考案の目的は、前記の種々の問題を解決するために、主に、光ディスクのクリーニング、メンテナンス、補修を行うための、簡便で、しかも傷ついた光ディスクの表面を平滑にする十分な補修機能を有する、光ディスクメンテナンス装置を提供することにある。
【００１１】
また、本考案の他の目的は、軽薄短小の要請にかない、携帯と収納に便利であり、使用者が随時に、傷ついた光ディスクを本考案の装置に取り付けて研磨と補修の機能によって、傷ついた光ディスクを優れた使用可能な品質になるように補修できる、光ディスクメンテナンス装置を提供することである。
【００１２】
【課題を解決するための手段】
上記のような課題を解決するためになされた本考案による光ディスクメンテナンス装置は、光ディスクの掃除、研磨、又はメンテナンスに使用される、修理機構（１０）を有する光ディスクメンテナンス装置であって、前記修理機構（１０）は、伝動部材（１）と、前記伝動部材（１）に配置される連接部材（３）と、前記連接部材（３）に配置される載置部材（４）とを備え、前記伝動部材（１）は、２つの開口端を有するチューブ状に形成され、一の開口端の内縁部に係止溝（１１）を有し、且つ前記開口端の外縁部にギヤ状の駆動部（１２）を、前記外縁部を囲むように形成し、且つ前記伝動部材（１）の中央部に中空状を呈する取り付け部（１３）を設け、さらに、他の開口端の中央部の、前記取り付け部（１３）に対応する位置に、外方へ突出する受け取り部（１４）を設けており、前記連接部材（３）は、カバー（３１）を有し、前記カバー（３１）の一面の、前記伝動部材（１）の係止溝（１１）に対応する位置に取り付け部（３２１）を外方へ突出形成し、前記取り付け部（３２１）には切り欠き（３２２）を形成し、前記切り欠き（３２２）の間に複数の係止部（３２）を形成し、前記係止部（３２）の末端部に舌部（３１１）を形成し、さらに、前記カバー（３１）の他の面に係止部（３３）を形成しており、前記伝動部材（１）と前記連接部材（３）との間に付勢部材（２）が配置されており、前記載置部材（４）は、前記連接部材（３）の係止部（３３）に対応する位置に係止溝（４１）を形成し、且つ他端部に収納部（４２）を形成し、前記収納部（４２）の内縁部に操作部（４３）を設けており、前記載置部材（４）の収納部（４２）内に修理部材（５）が収納されていることを特徴とし、前記修理機構が自転しながら、光ディスク上に当接しつつ公転することによって、メンテナンスを実行し、光ディスクの傷ついた部分を研磨してその表面を平坦化して信号をピックアップできるように復元することを特徴とする。
【００１３】
また好ましくは、前記修理機構（１０）の修理部材（５）として、目の精粗の異なるグラインディング・ホイール又は修理ピースのいずれか一種を使用すると共に、それぞれ異なるランクのメンテナンス用剤を合せて使用することを特徴とする。
【００１４】
また好ましくは、前記修理機構（１０）がベース（６）に配置され、前記ベース（６）は、電源スイッチ（６１１）、修理スイッチ（６１２）、及び掃除スイッチ（６１３）を具備するコントロール・パネル（６１）と、光ディスクを載置する載置ベース（６２）と、載置ベース（６２）の周りに配設される少なくとも一つの取り付け部（６３）とを有しており、さらに、前記ベース（６）は、カバー（６４）を配置し、前記カバー（６４）の、前記ベース（６）の載置ベース（６２）に対応する部位に弾力性を有する当接部材（６４１）を設けており、前記修理機構が前記取り付け部（６３）に装着されて駆動されることを特徴とする。
【００１５】
【考案の実施の形態】
以下に添付図面を参照しながら本考案の好適な実施の形態を具体的に説明する。
【００１６】
図１に、本考案による修理機構１０の分解斜視図を示す。前記光ディスクメンテナンス装置は、伝動部材１と、伝動部材１に配置される連接部材３と、伝動部材１と連接部材３との間に配置される付勢部材２と、連接部材３に載置される載置部材４と、載置部材４に配置される修理部材５とを具備する。
【００１７】
図２（ａ）と（ｂ）に、伝動部材１の外見斜視図を示す。伝動部材１は２つの開口端を有するチューブ状に形成され、一の開口端の内縁部に係止溝１１を形成し、その開口端の外縁部にギヤ状の駆動部１２を、前記外縁部を囲むように形成し、且つ伝動部材１の中央部に中空状を呈する取り付け部１３を設け、さらに、他の開口端の中央部の、取り付け部１３に対応する位置に、外方へ突出する受け取り部１４を形成している。
【００１８】
図３（ａ）と（ｂ）に、連接部材３の平面図と、図３（ａ）におけるＡ−Ａ箇所の断面図を示す。連接部材３は、カバー３１を有し、カバー３１の一面の、伝動部材１の係止溝１１に対応する位置に外方へ突出する取り付け部３２１を形成し、取り付け部３２１の適所に切り欠き３２２を形成し、切り欠き３２２の間に複数の係止部３２を形成し、係止部３２が弾力性を有し、且つその末端部に舌部３１１を有し、さらに、カバー３１の他の面に係止部３３を有する。
【００１９】
図４（ａ）と（ｂ）に、載置部材４の平面図と底面図を示す。載置部材４は、前記連接部材３の係止部３２に対応する位置に係止溝４１を形成し、その他端部に、それぞれ異なるランクの修理部材５（図１参照）を収納するための収納部４２を形成し、収納部４２の内縁部に操作部４３を有し、使用者はそれを用いて修理部材５の取り付けまたは取り外しを実行できるので、異なる修理部材５（図１参照）を交換する際に便利である。
【００２０】
図５（ａ）と（ｂ）に、本考案による修理機構１０の、組立終了後の側面図と図５（ａ）のＢ−Ｂ位置の断面図を示す。組立てる際、まず付勢部材２を伝動部材１の受け取り部１４に配置し、それから連接部材３の取り付け部３２１を伝動部材１につけ、取り付け部３２１における舌部３１１を有する係止部３２を伝動部材１の係止溝１１内に挿着し、係止部３２の両側には切り欠き３２２を有し、係止部３２を係止溝１の底部に挿着後に、その舌部３１１が外方へ釈放されて係止溝１１内に係止され、また、前記の付勢部材２の付勢力によって連接部材３を常時上向きに突き上げる状態になるようにし、それから載置部材４の係止溝４１に、前記連接部材３のカバー３１の他の面に設けられた係止部３３を取り付け、最後に、修理部材５を前記載置部材４の収納部４２内に配置する。これで本考案による修理機構の組立が終了し、その構成が簡単で且つ組立が軽便であり、生産効率を向上できる。
【００２１】
図６に、本考案による、修理機構１０を用いた光ディスクメンテナンス装置の実施例の説明図を示す。修理機構１０はベース６に配置され、ベース６は、コントロール・パネル６１と、前記ベース６に配置されて内部の機構の駆動によって旋回される載置ベース６２とを有し、前記載置ベース６２に光ディスクを載置する。また、載置ベース６２の周囲に少なくとも一つの取り付け部６３が設けられている。取り付け部６３は、組立終了後の修理機構１０を装着し駆動するための部分である。前記コントロール・パネル６１は、電源を投入または切断可能な電源スイッチ６１１と、取り付け部６３に取り付けられる修理機構１０につけられる、異なるランクの修理部材５を起動または停止させるための修理スイッチ６１２と、ベース６に光ディスクを掃除するように指令を出すための掃除スイッチ６１３とを有する。
【００２２】
このように、光ディスクをベース６に置いて、且つ載置ベース６２に位置決めした後、コントロール・パネル６１の電源スイッチ６１１を介してベース６を起動し、且つ修理スイッチ６１２を選択し、修理機構１０を起動する。修理機構１０を自転させながら、光ディスク上に当接しつつ公転させ、研磨と補修の作業を実行し、光ディスクにおける傷を消して平坦になるまで研磨し、傷のない平滑な表面を現出するよう操作する。こうすると、光ディスクを使用する場合に、レーザ光源は傷の影響によりその均一的な反射を乱されることはなく、光ディスクにおける情報を効果的に挽回できるようになる。
【００２３】
さらに、それぞれ異なる程度の傷に応じて、前記修理部材５としてそれぞれ異なるランクのグランディング・ホイールを使用でき、例えば、目の荒いグランディング・ホイール、目が中間等級のグラインディング・ホイール、目の細かいグランディング・ホイール、または補修用ピースを適当に利用でき、且つそれぞれ異なるランクの補修用剤を利用できる。
【００２４】
さらに付言すると、前記ベース６にカバー６４が配置され、前記カバー６４の、前記ベース６の載置ベース６２に対応する位置に弾力性を有する当接部材６４１が設けられ、載置ベース６２における光ディスク（図示省略）を保持し、光ディスクの研磨補修の高速旋回過程中にそのバランスと安定性を保持可能にすることもできる。
【００２５】
【考案の効果】
このように、本考案による光ディスクメンテナンス装置は、修理機構１０を小型のベース６内に装着すると、携帯と収納に便利であり、使用者は、随時、傷ついた光ディスクをベース６に配置して研磨と補修機能によって、傷ついた光ディスクを平坦になるまで研磨・補修でき、光ディスクを優れた表面状態にすることができるので、光ディスク内部のデジタル情報を挽回でき、順調に光ディスクにおける情報を読み取ることができるようになる、という効果がある。また、本考案によれば、掃除の効果も有するので、光ディスクの寿命を延長でき、光ディスクの廃棄による汚染を減少できる。
【図面の簡単な説明】
【図１】本考案による光ディスクメンテナンス装置の修理機構の分解斜視図である。
【図２】（ａ）は、伝動部材を示す外見斜視図である。
（ｂ）は、伝動部材を（ａ）とは反対側から見た外見斜視図である。
【図３】（ａ）は、連接部材を示す平面図である。
（ｂ）は、（ａ）のＡ−Ａ部位を示す断面図である。
【図４】（ａ）は、載置部材を示す平面図である。
（ｂ）は、載置部材を示す底面図である。
【図５】（ａ）は、本考案による、組立終了後の修理機構の側面図である。
（ｂ）は、（ａ）のＢ−Ｂ部位を示す断面図である。
【図６】本考案による、修理機構１０を用いた光ディスクメンテナンス装置の実施例の説明図である。
【符号の説明】
１　　　伝動部材
１１　　係止溝
１２　　駆動部
１３　　取り付け部
１４　　受け取り部
２　　　付勢部材
３　　　連接部材
３１　　カバー
３２　　係止部
３３　　係止部
３１１　舌部
３２１　取り付け部
３２２　切り欠き
４　　　載置部材
４１　　係止溝
４２　　収納部
４３　　操作部
５　　　修理部材
１０　　修理機構
６　　　ベース
６１　　コントロール・パネル
６２　　載置ベース
６３　　取り付け部
６４　　カバー
６１１　電源スイッチ
６１２　修理スイッチ
６１３　掃除スイッチ
６４１　当接部材
【図１】
0003098915.tif 000003
【図２】
0003098915.tif 000004
【図３】
0003098915.tif 000005
【図４】
0003098915.tif 000006
【図５】
0003098915.tif 000007
【図６】
0003098915.tif 000008